(57)【要約】      （修正有）【課題】狭小領域に信号線を配設する。【解決手段】信号線の層数が１層である単層のフレキシブルプリント基板１００は、基部１１０と、基部１１０から延在する２本の延設部１２０，１３０とを有する。延設部１２０，１３０は、基部１１０からそれぞれ同じ方向に延在する短手部１２１，１３１と、短手部１２１，１３１の延在方向と略直角の方向に延在する長手部１２２，１３２とを有する。短手部１２１を小さな曲率半径で屈曲させ、短手部１２１よりも長い短手部１３１をやや大きな曲率半径で屈曲させることで、各長手部１２２，１３２の表面ａ同士および裏面ｂ同士がそれぞれ同じ向きに向いた状態で、基部１１０からの距離が異なるそれぞれの長手部１２２，１３２が重なる。この状態で、各長手部１２２，１３２をディスプレイアームの中心部分の空間に挿通する。【選択図】図５
2007273708.tif 000002
【特許請求の範囲】
【請求項１】
狭小領域を隔てて離間する少なくとも２つのデバイスを接続するフレキシブルプリント基板の配線構造であって、
前記フレキシブルプリント基板は、基部と、前記基部から延設される少なくとも２つの互いに分離した延設部とを備え、
前記２つの延設部が互いに対向するように折り曲げて前記狭小領域を挿通させることを特徴とする配線構造。
【請求項２】
請求項１に記載の配線構造において、
前記延設部は、前記基部から延設される短手部と、前記短手部から所定角度方向に延設される長手部とを有し、前記それぞれの長手部が互いに対向するように前記短手部の少なくとも１つを屈曲させたことを特徴とする配線構造。
【請求項３】
請求項１に記載の配線構造において、
前記延設部は、第１および第２の延設部の２つであり、
前記第１の延設部は、前記基部から延設される短手部と、前記短手部から所定角度方向に延設される長手部とを有し、前記長手部と前記第２の延設部とが互いに対向するように前記短手部を屈曲させたことを特徴とする配線構造。
【請求項４】
請求項１〜３のいずれか一項に記載の配線構造と、
画像を表示する画像表示部と、
前記画像表示部が取り付けられている中空構造のディスプレイアームと、
前記ディスプレイアームを移動可能に支持するアーム支持部とを備え、
前記狭小領域は、前記ディスプレイアームの内部空間であることを特徴とする携帯表示装置。
【請求項５】
請求項４に記載の携帯表示装置において、
前記画像表示部は、前記ディスプレイアームに対して回動可能に取り付けられ、
前記画像表示部と前記ディスプレイアームとの取り付け部近傍に前記分離した延設部が配設されていることを特徴とする携帯表示装置。
【請求項６】
狭小領域を隔てて離間する少なくとも２つのデバイスを接続するフレキシブルプリント基板の配線構造であって、
前記フレキシブルプリント基板は、基部と、前記基部から延設された部分であってその先端近傍および前記基部近傍でそれぞれ２つに分離された延設部とを備え、
前記延設部の先端近傍で２つに分離された部分同士、および、前記基部近傍で２つに分離された部分同士がそれぞれ対向するように前記延設部を折り曲げて前記狭小領域を挿通させることを特徴とする配線構造。
【請求項７】
請求項６に記載の配線構造において、
前記延設部のうち、前記基部近傍で２つに分離された部分は互いに対向するように屈曲させ、
前記延設部のうち、前記基部近傍と前記延設部の先端近傍との間の部分である中間部は、その延在方向に沿って屈曲させ、
前記延設部のうち、前記延設部の先端近傍で２つに分離された部分の一方は、前記中間部から前記中間部の延設方向とは異なる方向に延設される短手部と、前記短手部から延設されて前記中間部の延設方向と略平向に延設される長手部とを有し、前記長手部と前記延設部の先端近傍で２つに分離された部分の他方とが互いに対向するように前記短手部を屈曲させたことを特徴とする配線構造。
【請求項８】
請求項７に記載の配線構造と、
画像を表示する画像表示部と、
前記画像表示部が取り付けられている中空構造のディスプレイアームと、
前記ディスプレイアームを移動可能に支持するアーム支持部とを備え、
前記狭小領域は、前記ディスプレイアームの内部空間であり、前記中間部が前記ディスプレイアームの内部空間に挿通されていることを特徴とする携帯表示装置。
【請求項９】
請求項８に記載の携帯表示装置において、
前記画像表示部は、前記ディスプレイアームに対して回動可能に取り付けられ、
前記画像表示部と前記ディスプレイアームとの取り付け部近傍に、前記基部近傍で２つに分離された部分が配設されていることを特徴とする携帯表示装置。
【発明の詳細な説明】
【技術分野】
【０００１】
本発明は、使用者の頭部に装着して使用する携帯表示装置の配線構造、および、この配線構造を採用した携帯表示装置に関する。
【背景技術】
【０００２】
従来から、使用者の頭部に装着して使用する携帯表示装置として、たとえば特許文献１に記載された装置のようなニアアイディスプレイまたはヘッドマウントディスプレイと呼ばれる装置が知られている（特許文献１参照）。
【０００３】
この装置では、表示部を支持するディスプレイアームが摺動可能に保持されており、画像を観察する位置までディスプレイアームを前進できる。また、画像を観察しないときにはディスプレイアームが収納部に収納されるようにディスプレイアームを後退できる。
【０００４】
【特許文献１】特開２００５−２１５３９３号公報
【発明の開示】
【発明が解決しようとする課題】
【０００５】
この携帯表示装置では、表示部に映像信号やバックライトの電力を送るために中空形状のディスプレイアームの内部空間を利用して信号線を配設している。しかし、従来の携帯表示装置では、信号線の本数が多くなると、ディスプレイアームの内部空間に信号線を配設するのが困難となる。
【課題を解決するための手段】
【０００６】
（１）  請求項１の発明による配線構造は、狭小領域を隔てて離間する少なくとも２つのデバイスを接続するフレキシブルプリント基板の配線構造であって、フレキシブルプリント基板は、基部と、基部から延設される少なくとも２つの互いに分離した延設部とを備え、２つの延設部が互いに対向するように折り曲げて狭小領域を挿通させることを特徴とする。
（２）  請求項２の発明は、請求項１に記載の配線構造において、延設部は、基部から延設される短手部と、短手部から所定角度方向に延設される長手部とを有し、それぞれの長手部が互いに対向するように短手部の少なくとも１つを屈曲させたことを特徴とする。
（３）  請求項３の発明は、請求項１に記載の配線構造において、延設部は、第１および第２の延設部の２つであり、第１の延設部は、基部から延設される短手部と、短手部から所定角度方向に延設される長手部とを有し、長手部と第２の延設部とが互いに対向するように短手部を屈曲させたことを特徴とする。
（４）  請求項４の発明による携帯表示装置は、請求項１〜３のいずれか一項に記載の配線構造と、画像を表示する画像表示部と、画像表示部が取り付けられている中空構造のディスプレイアームと、ディスプレイアームを移動可能に支持するアーム支持部とを備え、狭小領域は、ディスプレイアームの内部空間であることを特徴とする。
（５）  請求項５の発明は、請求項４に記載の携帯表示装置において、画像表示部は、ディスプレイアームに対して回動可能に取り付けられ、画像表示部とディスプレイアームとの取り付け部近傍に分離した延設部が配設されていることを特徴とする。
（６）  請求項６の発明による配線構造は、狭小領域を隔てて離間する少なくとも２つのデバイスを接続するフレキシブルプリント基板の配線構造であって、フレキシブルプリント基板は、基部と、基部から延設された部分であってその先端近傍および基部近傍でそれぞれ２つに分離された延設部とを備え、延設部の先端近傍で２つに分離された部分同士、および、基部近傍で２つに分離された部分同士がそれぞれ対向するように延設部を折り曲げて狭小領域を挿通させることを特徴とする。
（７）  請求項７の発明は、請求項６に記載の配線構造において、延設部のうち、基部近傍で２つに分離された部分は互いに対向するように屈曲させ、延設部のうち、基部近傍と延設部の先端近傍との間の部分である中間部は、その延在方向に沿って屈曲させ、延設部のうち、延設部の先端近傍で２つに分離された部分の一方は、中間部から中間部の延設方向とは異なる方向に延設される短手部と、短手部から延設されて中間部の延設方向と略平向に延設される長手部とを有し、長手部と延設部の先端近傍で２つに分離された部分の他方とが互いに対向するように短手部を屈曲させたことを特徴とする。
（８）  請求項８の発明による携帯表示装置は、請求項７に記載の配線構造と、画像を表示する画像表示部と、画像表示部が取り付けられている中空構造のディスプレイアームと、ディスプレイアームを移動可能に支持するアーム支持部とを備え、狭小領域は、ディスプレイアームの内部空間であり、中間部がディスプレイアームの内部空間に挿通されていることを特徴とする。
（９）  請求項９の発明は、請求項８に記載の携帯表示装置において、画像表示部は、ディスプレイアームに対して回動可能に取り付けられ、画像表示部とディスプレイアームとの取り付け部近傍に、基部近傍で２つに分離された部分が配設されていることを特徴とする。
【発明の効果】
【０００７】
本発明によれば、信号線の本数が多くても、ディスプレイアームの内部空間のような狭小領域に信号線を容易に配設できる。
【発明を実施するための最良の形態】
【０００８】
以下、本発明に係る配線構造を採用した携帯表示装置の一実施形態について説明する。
【０００９】
図１は、本実施形態の携帯表示装置（ニアアイディスプレイ装置）２０およびヘッドホン１０を備えたニアアイディスプレイシステムの斜視図である。
【００１０】
ヘッドホン１０は、左右のスピーカ１１Ｌ，１１Ｒと、左右のスピーカ１１Ｌ，１１Ｒ相互を接続するアーム１２と、を備えている。アーム１２の両端部は、ユーザの左右の耳にそれぞれ掛けられるように湾曲しており、耳掛け部１３Ｌ，１３Ｒを形成している。なお、このヘッドホン１０は、ユーザの後頭部にアーム１２を回すリアアーム式のヘッドホンである。
【００１１】
本実施形態のニアアイディスプレイ装置２０は、ユーザの眼前で画像を表示する画像表示部２１と、この画像表示部２１が一方の端部に取り付けられているディスプレイアーム２７と、このディスプレイアーム２７をスライド可能に支持するアーム支持部３０と、このアーム支持部３０をヘッドホンアーム１２に取付可能なアタッチメント４０と、を備えている。
【００１２】
ディスプレイアーム２７は、一定の曲率半径Ｒで滑らかに湾曲した中空棒状を成しており、その曲率中心は、このニアアイディスプレイ装置２０をユーザの頭部Ｈに装着した際に、この頭部Ｈ内に存在するようになっている。ディスプレイアーム２７の中心部分の空間には、後述する画像処理部および制御部と画像表示部２１との間で電気信号をやりとりするための信号線であるフレキシブルプリント基板１００が挿通されている。フレキシブルプリント基板１００については後に詳述する。
【００１３】
このディスプレイアーム２７は、アーム支持部３０内に収まる退避位置ｄ（図３）と、アーム支持部３０から突出して画像表示部２１がユーザの眼前で画像表示可能な突出位置ｃ（図１，２）との間で、画像表示部２１がこのディスプレイアーム２７の湾曲形状に対応した軌跡Ｂで移動可能にアーム支持部３０に支持されている。
【００１４】
また、画像表示部２１は、ディスプレイアーム２７が突出位置ｃに存在するときに、画像表示部２１の表示画面がユーザの眼と対向する表示可能位置ａと、この表示画面がユーザの眼の視線方向に対して一定角度以上傾いている非表示位置ｂとの間で、主に矢印Ａ方向に揺動可能に、ディスプレイアーム２７の端部に取り付けられている。このディスプレイアーム２７の長さは、画像表示部２１が表示可能位置ａの時に、その表示画面とユーザの眼との間に２０ｍｍ以上の距離をおける寸法になっている。なお、この２０ｍｍ以上という数値は、ユーザが眼鏡使用すること考慮した値である。このように、ディスプレイアーム２７を湾曲形状にし、この湾曲形状に対応した軌跡Ｂを描くように画像表示部２１を移動可能にすることで、頭部と干渉せず、安全に画像表示部２１を移動させることができる。
【００１５】
図２および図３は、本実施形態のニアアイディスプレイ装置の要部切り欠き平面図で、図２は、ユーザの眼前で画像表示可能な突出位置ｃに画像表示部２１が位置する状態を示し、図３は、画像表示部２１が退避位置ｄに位置する状態を示している。
【００１６】
画像表示部２１は、表示デバイス２２と、この表示デバイス２２が表示した画像をユーザの眼に導くための光学系２３と、この画像表示部２１が前述の表示可能位置ａであるか非表示位置ｂであるかを検知する表示部位置検知センサ２４と、これらを収納するディスプレイケース２５と、を有している。このディスプレイケース２５には、ディスプレイアーム２７の端部に対して揺動および回動可能に取り付けられる取付部２６が設けられている。表示部位置検知センサ２４は、ディスプレイケース２５内に入り込んでいるディスプレイアーム２７の相対位置変化で、画像表示部２１が表示可能位置ａであるか非表示位置ｂであるかを検知する。
【００１７】
アーム支持部３０は、ディスプレイアーム２７を収納可能な内部空間が形成されている収納ケース３１と、ディスプレイアーム２７をスライド可能に支持するガイドローラ３４ａ，３４ｂと、ディスプレイアーム２７をスライドさせる駆動ローラ３５ａと、この駆動ローラ３５ａを回転させるアーム駆動モータ３５ｂとを有している。アーム支持部３０は、ディスプレイアーム２７が前述の退避位置ｄに存在するか否かを検知する退避検知センサ３７ａと、ディスプレイアーム２７が前述の突出位置ｃに存在するか否かを検知する突出検知センサ３７ｂと、アーム駆動モータ３５ｂの動作を指示するためのアーム駆動スイッチ３６と、フレキシブルプリント基板１００を収納ケース３１内で固定するための固定ピン３０１とを有している。
【００１８】
収納ケース３１の内部空間は、ディスプレイアーム２７の湾曲形状に対応して、湾曲している。この収納ケース３１の一方の端部（以下、前端とする）側には、ディスプレイアーム２７が出入りするアーム挿入口３２が形成され、他方の端部（以下、後端とする）側に逃げ部３３が形成されている。この逃げ部３３は、アタッチメント４０をヘッドホンアーム１２に結合させた際、ヘッドホン１０のスピーカ１１Ｌまたは１１Ｒと収納ケース３１とが干渉し合うのを回避するために、ヘッドホンアーム１２から遠ざける方向に伸びている部分である。収納ケース３１のアーム挿入口３２近傍で、ディスプレイアーム２７の移動経路Ｂに沿った位置には、ディスプレイアーム２７を挟み込むように一対のガイドローラ３４ａ，３４ｂが二箇所に設けられている。駆動ローラ３５ａは、前端部側のガイドローラ３４ａと後端部側のガイドローラ３４ｂとの間であって、湾曲しているディスプレイアーム２７の内周側、言い換えると、ユーザの頭部側に設けられている。
【００１９】
図２および図３に示すように、収納ケース３１の逃げ部３３には、変位機構５０が設けられている。この変位機構５０は、アタッチメント４０に対する画像表示部２１の相対的な位置および向きを変えるもので、アタッチメント４０に設けられたボール５１と、収納ケース３１の逃げ部３３に形成されたボール受け部５２と、を有して構成されている。ボール５１とボール受け部５２との間には、一定以上の摩擦力が作用しており、ボール５１に対して、ボール受け部５２に一定以上の回転力が作用しない限り、このボール５１に対して、ボール受け部５２が相対回転できないようになっている。
【００２０】
このように、変位機構５０をボール５１とボール受け部５２とを有して構成することにより、三次元空間内の独立した３軸の各軸回りで、アーム支持部３０およびこのアーム支持部３０に支持されているディスプレイアーム２７、さらにこのディスプレイアーム２７に取り付けられている画像表示部２１を変位させることができる。
【００２１】
図４は、ニアアイディスプレイシステムの回路構成図である。
【００２２】
アーム支持部３０の収納ケース３１には、前述した、駆動ローラ３５ａ、アーム駆動モータ３５ｂ、退避検知センサ３７ａ、突出検知センサ３７ｂと、アーム駆動スイッチ３６の他、各センサ２４，３７ａ，３７ｂおよびアーム駆動スイッチ３６からの信号に応じてアーム駆動モータ３５ｂを制御する制御系３８と、外部コントローラＣからの信号に応じて、画像表示部２１の表示デバイス２２に画像信号を送る画像処理系３９と、が設けられている。画像表示部２１に設けられた表示デバイス２２および表示部位置検知センサ２４と、アーム支持部３０に設けられた制御系３８および画像処理系３９とは、フレキシブルプリント基板１００で接続されている。
【００２３】
なお、ヘッドホン１０には、外部コントローラＣから独自の信号線で音声信号を送ってもよいが、外部コントローラＣからニアアイディスプレイ装置２０を介してヘッドホン１０に音声信号を送るようにしてもよい。また、逆に、外部コントローラＣからヘッドホン１０に対して、音声信号の他に、画像信号や制御信号等を送り、これらのうち、画像信号や制御信号等をヘッドホン１０からニアアイディスプレイ装置２０に送るようにしてもよい。このように、ヘッドホン１０とニアアイディスプレイ装置２０とのうち、一方に、全ての信号等を送り、そこから他方へ必要な信号等を送る場合には、両者を電気的に接続するため、切断可能な電気的接続部を両者に設ける必要がある。
【００２４】
−−−フレキシブルプリント基板１００−−−
図５は、接続前のフレキシブルプリント基板１００を示す図である。フレキシブルプリント基板１００は、信号線の層数が１層である単層のフレキシブルプリント基板である。フレキシブルプリント基板１００は、表示デバイス２２や表示部位置検知センサ２４に接続される基部１１０と、基部１１０から延設された２本の延設部１２０，１３０とを有する。延設部１２０，１３０は、基部１１０に接続された表示デバイス２２および表示部位置検知センサ２４と、制御系３８および画像処理系３９とを接続する複数の信号線を有する。
【００２５】
延設部１２０，１３０は、基部１１０からそれぞれ同じ方向に延在する短手部１２１，１３１と、短手部１２１，１３１の先端から短手部１２１，１３１の延在方向と略直角の方向に延在する長手部１２２，１３２とを有する。長手部１２２，１３２の先端、すなわち延設部１２０，１３０の先端には、制御系３８および画像処理系３９が接続されたフレキシブルプリント基板と接続するための接続部１２３，１３３が設けられている。
【００２６】
各長手部１２２，１３２は互いに略平行に延在している。短手部１２１が短手部１３１よりも短いため、長手部１２２は長手部１３２よりも基部１１０に近い位置に配置されている。また、図５において、接続部１３３が接続部１２３の下方に位置するように、長手部１２２よりも長手部１３２の長さが長くされている。なお、説明の便宜上、フレキシブルプリント基板１００の表裏面について、図５の紙面に現れている面を表面ａとし、紙面の裏面に相当する面を裏面ｂとする。
【００２７】
図６は、画像表示部２１とディスプレイアーム２７にフレキシブルプリント基板１００を挿通したときの拡大図である。なお、画像表示部２１については内部構造を図示している。フレキシブルプリント基板１００は、図６に示すように長手部１２２，１３２がディスプレイアーム２７の内部に挿通されている。表示デバイス２２は、基部１１０に接続されている。表示部位置検知センサ２４は、不図示のリード線で基部１１０に接続されている。延設部１２０，１３０は、長手部１２２と長手１３２とが対向するように、すなわち、長手部１２２，１３２同士が重なるように短手部１２１，１３１で屈曲されている。
【００２８】
図７は、フレキシブルプリント基板１００が図６のように挿通されたときの状態を示した図であるが、具体的には、図７（ａ），（ｂ）に示すように、短手部１２１，１３１がそれぞれ弧を描くように略１８０度曲げられた際に、短手部１２１，１３１同士の長さの差を曲げた際の円弧の曲率半径の差で吸収することで、長手部１２２，１３２同士が重なっている。すなわち、長さの短い短手部１２１を小さな曲率半径で屈曲させ、長さの長い短手部１３１を大きな曲率半径で屈曲させることで、基部１１０からの距離が異なる各長手部１２２，１３２を重ねることができる。このとき、各長手部１２２，１３２の表面ａ同士および裏面ｂ同士がそれぞれ同じ向きに向いた状態となる。
【００２９】
このように各長手部１２２，１３２を重ねることで、狭小領域であるディスプレイアーム２７の中心部分の空間に各長手部１２２，１３２を無理なく挿通できる。ディスプレイアーム２７の一方の端部から挿通された各長手部１２２，１３２は、ディスプレイアーム２７の他方の端部から収納ケース３１の内部に露出している。各長手部１２２，１３２は、ディスプレイアーム２７の移動が可能となるように、ディスプレイアーム２７の他方の端部から引き出された部分の長さを十分に確保した上で、固定ピン３０１と収納ケース３１の内面との間に挟み込まれて固定されている（図２，３，６）。
【００３０】
接続部１２３，１３３は、制御系３８および画像処理系３９が接続されたフレキシブルプリント基板２００にハンダ付けにて接続されている（図６）。なお、コネクタを利用して接続部１２３，１３３とフレキシブルプリント基板２００とを接続してもよい。上述したように、各長手部１２２，１３２の表面ａ同士および裏面ｂ同士がそれぞれ同じ向きに向いており、長手部１２２よりも長手部１３２の長さが長くされている。したがって、図６に示すように、接続部１２３，１３３はそれぞれの裏面ｂがフレキシブルプリント基板２００に面し、接続部１２３，１３３が長手部１２２，１３２の延在方向にずれた状態となるので、フレキシブルプリント基板２００への接続が容易となる。
【００３１】
ディスプレイアーム２７の他方の端部から引き出された各長手部１２２，１３２は、厚さ方向に屈曲される。しかし、屈曲の内側と外側とでは曲率半径が異なるため、ディスプレイアーム２７の移動につれて屈曲状態が変化すると、長手部１２２，１３２の相対位置も延在方向に沿って変化しなければならない。
【００３２】
仮に、各長手部１２２，１３２が分離しておらず、長手部１２２，１３２の一方の側面同士がつながっていても、その延在方向に沿って中央で畳めばディスプレイアーム２７に挿通できる。しかし、ディスプレイアーム２７の他方の端部から引き出された部分には、ディスプレイアーム２７の移動によって屈曲状態が変化すると、長手部１２２と長手部１３２との境界近傍に、延在方向に沿ったせん断力が作用する。そのため、屈曲抵抗の増大や、屈曲の繰り返しによる長手部１２２，１３２の損傷といった不具合が引き起こされる。
【００３３】
これに対し、本実施の形態のフレキシブルプリント基板１００では、各長手部１２２，１３２が互いに分離しているので、そのような不具合は発生しない。すなわち、本実施の形態のフレキシブルプリント基板１００では、図２，３に示すようにディスプレイアーム２７が移動しても、各長手部１２２，１３２は互いに干渉されずに容易に屈曲してディスプレイアーム２７の移動に追従する。
【００３４】
図８は、画像表示部２１がディスプレイアーム２７に対して姿勢が変わったときのフレキシブルプリント基板１００の変形の変化の様子を図示している。図８（ａ）は画像表示部２１の透視拡大図であり、図８（ｂ）は図８（ａ）の矢印Ｂ１１方向からの矢視図であり、図８（ｃ）は図８（ａ）の矢印Ｃ１１方向からの矢視図である。画像表示部２１の内部では、図６，図８（ａ）〜（ｃ）に示すように、分離した長手部１２２，１３２が互いに重なった状態である。したがって、上述の場合と同様に、長手部１２２，１３２が互いに干渉されずに柔軟に屈曲して、ディスプレイアーム２７と画像表示部２１との相対位置の変化に追従する。すなわち、図８（ａ）〜（ｃ）に示すように、取付部２６を中心として画像表示部２１が上下方向（矢印Ｅ）や前後方向（矢印Ｆ）に回動されても、長手部１２２，１３２が屈曲して追従する。また、矢印Ｇで示すように、ディスプレイアーム２７の長手方向を中心として、取付部２６で画像表示部２１が回動されても、すなわち、画像表示部２１の仰俯角を変更しても、長手部１２２，１３２が適度にねじれることで追従できる。なお、ユーザの目の位置と、画像表示部２１との位置関係から、画像表示部２１の仰俯角の回動範囲は少なくてよいので、長手部１２２，１３２のねじれ量はわずかである。
【００３５】
このように、フレキシブルプリント基板１００では、基部１１０から２本の延設部１２０，１３０を延在させているが、延設部１２０と延設部１３０とでは、伝送する信号・電力の種類を分けている。すなわち、延設部１２０，１３０のいずれか一方で画像処理系３９から送信される画像信号を伝達し、延設部１２０，１３０のいずれか他方で、電力やバックライトの制御信号などを伝送するようにしている。このように、画像信号系と電源およびバックライト制御系を分けることによって、画像信号へのノイズの混入を防止している。
【００３６】
なお、図５の２点鎖線で示すように、フレキシブルプリント基板１００の全体の形状は、長方形の枠の範囲に収まるような形状をしている。そのため、図９に示すように、フレキシブルプリント基板１００の製造に際して、１枚のシート１０１から多数のフレキシブルプリント基板１００を得ることができ、歩留まりを向上できる。
【００３７】
上述した本実施形態のニアアイディスプレイ装置２０およびヘッドホン１０を備えたニアアイディスプレイシステムでは、次の作用効果を奏する。
（１）  基部１１０から延在し、短手部１２１，１３１と長手部１２２，１３２とを有する２本の延設部１２０，１３０をフレキシブルプリント基板１００に設け、長手部１２２，１３２を重ねることができるように構成した。これにより、信号線の数が多くなっても、ディスプレイアーム２７の内部空間のような狭小領域に長手部１２２，１３２を挿通させ易くなり、信号線の配設が容易になる。したがって、ディスプレイアーム２７の径を太くする必要がなく、ユーザの視界を遮る範囲を少なくできるとともに、ディスプレイアーム２７ひいてはニアアイディスプレイ装置２０の重量増加を抑止でき、扱いやすいニアアイディスプレイ装置２０を実現できる。
【００３８】
（２）  ディスプレイアーム２７の他方の端部から引き出された各長手部１２２，１３２が互いに分離しているので、ディスプレイアーム２７の移動に合わせて各長手部１２２，１３２は容易に屈曲する。これにより、ディスプレイアーム２７の移動がスムーズになるとともに、各長手部１２２，１３２の耐久性が向上し、ニアアイディスプレイ装置２０の信頼性を向上できる。
【００３９】
（３）  短手部１２１，１３１を屈曲させることで、各長手部１２２，１３２の表面ａ同士および裏面ｂ同士がそれぞれ同じ向き向くように構成した。また、長手部１２２よりも長手部１３２の長さが長くなるように構成した。これにより、接続部１２３，１３３はそれぞれ同じ面（裏面ｂ）がフレキシブルプリント基板２００に面し、接続部１２３，１３３が長手部１２２，１３２の延在方向にずれた状態となるので、フレキシブルプリント基板２００への接続が容易となる。
【００４０】
（４）  取付部２６の近傍の画像表示部２１の内部で、分離した長手部１２２，１３２が互いに重なった状態で配設されるように構成した。これにより、長手部１２２，１３２が柔軟に屈曲して、取付部２６を中心としてディスプレイアーム２７と画像表示部２１の相対位置の変化に追従するので、ユーザの手動による画像表示部２１の位置調節に際して、長手部１２２，１３２の曲げ抵抗ほとんどなく、スムーズに位置調整ができる。また、各長手部１２２，１３２の耐久性が向上し、ニアアイディスプレイ装置２０の信頼性を向上できる。
【００４１】
（５）  フレキシブルプリント基板１００に単層のものを採用したので、屈曲性に優れ、各長手部１２２，１３２の耐久性が向上するとともに、製造コストも低減できる。
【００４２】
−−−変形例−−−
（１）  上述の説明では、短手部１２１，１３１がそれぞれ弧を描くように略１８０度曲げられているが、本発明はこれに限定されない。たとえば、図１０（ａ），（ｂ）に示すように、短手部１３１の一部を表面ａ側に引き上げることで長手部１３２を長手部１２２の上に移動させることで、長手部１２２，１３２同士を重ねてもよい。この場合であっても、各長手部１２２，１３２の表面ａ同士および裏面ｂ同士がそれぞれ同じ向きとなる。
【００４３】
また、このように長手部１２２，１３２同士を重ねる場合、図１１（ａ）に示すように、一方の延設部１２０に短手部１２１が設けられていないフレキシブルプリント基板１００ａを用いてもよい。短手部１２１がない場合、短手部１３１だけを図１１（ｂ），（ｃ）に示すようにＳ字状もしくはＺ字状に屈曲させるか、図１１（ｄ）に示すように、短手部１３１を１巻きさせるようにｅ字状に屈曲させることで、長手部１２２，１３２同士を重ねてもよい。この場合であっても、各長手部１２２，１３２の表面ａ同士および裏面ｂ同士がそれぞれ同じ向きとなる。このように構成することによっても、上述した実施の形態と同様の作用効果を奏する。
【００４４】
（２）  上述の説明では、短手部１２１，１３１と長手部１２２，１３２との交差角度は略９０度であるが、本発明はこれに限定されない。たとえば図１２に示すように、基部１１０からそれぞれ異なる方向に延在する短手部１２１ｂ，１３１ｂと、短手部１２１ｂ，１３１ｂの先端から互いに略平行に延在する長手部１２２，１３２とを有するフレキシブルプリント基板１００ｂを用いてもよい。なお、長手部１２２，１３２同士が平行でなくても短手部１２１ｂ，１３１ｂをねじるように屈曲させれば、長手部１２２，１３２同士を重ねることは可能であるが、１枚のシートから多数のフレキシブルプリント基板を得るという点では不利になるため、長手部１２２，１３２同士を略平行とすることが好ましい。
【００４５】
（３）  上述の説明では、互いに分離した延設部１２０，１３０の長手部１２２，１３２をディスプレイアーム２７に挿通させるように構成しているが、本発明はこれに限定されない。たとえば、図１３に示すように、延設部１２０，１３０が分離していないフレキシブルプリント基板１００ｃを用いてもよい。この場合であっても、延設部１２０，１３０を２点鎖線Ｌで示す長手方向に沿って折り曲げることでディスプレイアーム２７に挿通できる。但し、屈曲性、耐久性の点で、ディスプレイアーム２７の他方の端部から引き出された部分１４０や、取付部２６の近傍に位置する部分１５０は分離していることが望ましい。
【００４６】
すなわち、ディスプレイアーム２７の他方の端部から引き出された部分１４０を長手部１２２ｄ、１３２ｄに分離することで、上述したようにディスプレイアーム２７の移動に合わせて長手部１２２ｄ、１３２ｄが互いに干渉されずに容易に屈曲するようになる。ディスプレイアーム２７の他方の端部から引き出された部分１４０には、長手部１３２ｄと略９０度の角度をなす短手部１３４を設ける。短手部１３４を上述した変形例の図１１（ｂ）〜（ｄ）で示すようにＳ字状、Ｚ字状またはｅ字状に屈曲させることで、長手部１２２ｄ、１３２ｄ同士を重ねることができる。なお、ディスプレイアーム２７に挿通されたままとなる部分１６０は、繰り返して曲げられることがないので分離していなくてもよい。取付部２６の近傍に位置する部分１５０を長手部１２２ｃ，１３２ｃに分離することで、長手部１２２ｃ，１３２ｃが互いに干渉されずに柔軟に屈曲して、取付部２６を中心としてディスプレイアーム２７と画像表示部２１の相対位置の変化に追従できる。
（４）  上述した各実施の形態および変形例は、それぞれ組み合わせてもよい。
【００４７】
なお、本発明は、上述した実施の形態のものに何ら限定されず、延設部の延設方向に延在する長手部と、長手部の延設方向とは異なる角度に延在する短手部とを有し、短手部を屈曲することで長手部を他の延設部と重ねて配置する狭小領域への各種の配線構造、および、この配線構造を採用する各種の携帯表示装置を含むものである。
【図面の簡単な説明】
【００４８】
【図１】本発明に係る一実施形態としてのニアアイディスプレイシステムの斜視図である。
【図２】本発明に係る一実施形態としてのニアアイディスプレイシステム（突出位置の状態）の要部切欠き平面図である。
【図３】本発明に係る一実施形態としてのニアアイディスプレイシステム（退避位置の状態）の要部切欠き平面図である。
【図４】本発明に係る一実施形態としてのニアアイディスプレイ装置の回路ブロック図である。
【図５】フレキシブルプリント基板１００を示す図である。
【図６】フレキシブルプリント基板１００をディスプレイアーム２７に挿通した状態を示す図である。
【図７】短手部１２１，１３１の屈曲状態を説明する図であり、（ａ）は斜視図であり、（ｂ）は（ａ）のＢ１０矢視図である。
【図８】画像表示部２１の要部切り欠き図であり、（ａ）は後方斜め上から見た図であり、（ｂ）は（ａ）のＢ１１矢視図であり、（ｃ）は（ａ）のＣ１１矢視図である。
【図９】複数のフレキシブルプリント基板１００を１枚のシート１０１から得ることを説明する図である。
【図１０】変形例を示す図である。
【図１１】変形例を示す図である。
【図１２】変形例を示す図である。
【図１３】変形例を示す図である。
【符号の説明】
【００４９】
１０  ヘッドホン                          １２  アーム
２０  ニアアイディスプレイ装置            ２１  画像表示部
２４  表示部位置検知センサ                ２６  取付部
２７  ディスプレイアーム                  ３０  アーム支持部
３１  収納ケース                          ３８  制御系
３９  画像処理系                            
１００，１００ａ，１００ｂ，１００ｃ  フレキシブルプリント基板
１１０  基部                              １２０，１３０  延設部
１２１，１２１ｂ，１３１，１３１ｂ，１３１ｃ，１３４  短手部
１２２，１２２ｃ，１２２ｄ，１３２，１３２ｃ，１３２ｄ  長手部
【図１】
2007273708.tif 000003
【図２】
2007273708.tif 000004
【図３】
2007273708.tif 000005
【図４】
2007273708.tif 000006
【図５】
2007273708.tif 000007
【図６】
2007273708.tif 000008
【図７】
2007273708.tif 000009
【図８】
2007273708.tif 000010
【図９】
2007273708.tif 000011
【図１０】
2007273708.tif 000012
【図１１】
2007273708.tif 000013
【図１２】
2007273708.tif 000014
【図１３】
2007273708.tif 000015